【誤訳訂正書】
【提出日】平成26年6月13日(2014.6.13)
【誤訳訂正１】
【訂正対象書類名】特許請求の範囲
【訂正対象項目名】全文
【訂正方法】変更
【訂正の内容】
【特許請求の範囲】
【請求項１】
方法であって、
連続メディアコンテンツセグメントから、複数の保護メディアセグメントを提供すること、
タイムラインに沿って、前記複数の保護メディアセグメントの間に複数のゲートメディアセグメントを順次にインタリーブすることであって、前記タイムラインのプロファイルは、タイムラインのメディアコンテンツメディアセグメントの時間的順序でゲートメディアセグメントがどこに位置するかを示す情報を含むメタデータを含む、前記インタリーブすること、
前記タイムラインのプロファイルの前記メタデータを用いて、前記複数の保護メディアセグメントの関連する一つに先行して配置されるようにインタリーブされた前記複数のゲートメディアセグメントの各関連する一つへのアクセスに応答して、前記複数の保護メディアセグメントの各一つへのユーザアクセスを選択的に提供すること、
を備える方法。
【請求項２】
アクセスを提供することは、ユーザが、前記保護メディアセグメントの少なくとも一部に少なくとも部分的に基づいてオーディオ及び／又はビデオプレゼンテーションを生成できるようにすることを含む、請求項１に記載の方法。
【請求項３】
前記ゲートメディアセグメントは、広告を含む、請求項１に記載の方法。
【請求項４】
前記メディアコンテンツセグメントは、エンコードされたオーディオ及び／又はビデオプレゼンテーションを含む、請求項１に記載の方法。
【請求項５】
前記メディアコンテンツセグメントは、インタラクティブメディアコンテンツを含む、請求項１に記載の方法。
【請求項６】
ゲートメディアセグメントと前記保護メディアセグメントとを関連づけることを更に備える、請求項１に記載の方法。
【請求項７】
関連する暗号化キーによって前記複数の保護メディアセグメントを暗号化することを更に備え、
前記ユーザアクセスを選択的に提供することは、前記ゲートメディアセグメントへのアクセスに応答して、前記保護メディアセグメントと関連する暗号化キーを前記ユーザに提供することを更に含む、請求項１に記載の方法。
【請求項８】
前記ユーザと関連するコンピューティングプラットフォームに常駐するエージェントを提供するステップと、
前記保護メディアセグメントを前記エージェントに伝送するステップと、
を更に備える、請求項１に記載の方法。
【請求項９】
前記保護メディアセグメントをエージェントに伝送することは、前記ゲートメディアセグメントに少なくとも部分的に基づくプレゼンテーションの生成が検出されることに応答して、前記少なくとも一つの保護メディアセグメントを伝送することを更に含む、請求項８に記載の方法。
【請求項１０】
前記ユーザと関連するユーザプロファイル情報のデータベースを維持すること、
前記プロファイル情報に少なくとも部分的に基づいて、前記複数の保護メディアセグメントと関連する少なくとも一つのゲートメディアセグメントを提供すること
を更に備える、請求項１に記載の方法。
【請求項１１】
前記ユーザと関連する購買行動に応答して、前記ユーザプロファイル情報を更新することを更に備える、請求項１０に記載の方法。
【請求項１２】
前記ユーザが行ったコンテンツ選択に応答して、前記ユーザと関連するユーザプロファイル情報を更新することを更に備える、請求項１１に記載の方法。
【請求項１３】
前記保護メディアセグメントは、オーディオ及びビデオ構成要素を含むプレゼンテーションのエンコードされた部分を含み、前記ゲートメディアセグメントへのアクセスがない場合、前記保護メディアセグメントへのアクセスを提供する代案として、前記ビデオ構成要素の生成を禁止すると同時に、前記オーディオ構成要素の生成を可能にするか、または前記保護メディアセグメントと関連するティーザプレゼンテーションの生成を可能にすることを含む、請求項１に記載の方法。
【請求項１４】
メディアデバイス上に常駐する、ユーザが、前記保護メディアセグメントの少なくとも一部に少なくとも部分的に基づいてオーディオ及び／又はビデオプレゼンテーションを生成するためのアプリケーションを提供することを更に備える、請求項１に記載の方法。
【請求項１５】
前記ユーザアクセスを選択的に提供することは、前記タイムラインのプロファイルの前記メタデータを用いて前記複数の保護メディアセグメントの関連する一つに先行して配置されるようにインタリーブされた前記複数のゲートメディアセグメントの各関連する一つへのアクセスがない場合、前記ユーザによる前記複数の保護メディアセグメントの各一つへのアクセスを禁止することを含む、請求項１に記載の方法。
【請求項１６】
メディアデバイスから前記連続メディアコンテンツセグメントの選択を受信すること、
前記ゲートメディアセグメントと関連する一つ以上のスポンサーから料金を受けること更に備える請求項１に記載の方法。
【請求項１７】
前記メディアデバイスでアクセスされた前記ゲートメディアセグメントのうち特定の一つに少なくとも部分的に基づいて前記料金を決定するステップを更に含む、請求項１６に記載の方法。
【請求項１８】
前記メディアデバイスでアクセスされるとき、前記一つ以上のゲートメディアセグメントは、前記一つ以上のスポンサーのうち少なくとも一つによって運営される少なくとも一つのウェブサイトへのリンクを前記メディアデバイス上に表示し、前記表示されたリンクの選択に少なくとも部分的に基づいて前記料金を決定するステップを更に含む、請求項１６に記載の方法。
【請求項１９】
前記メディアデバイスに常駐する、ユーザが、前記保護メディアセグメントの少なくとも一部に少なくとも部分的に基づいてオーディオ及び／又はビデオプレゼンテーションを生成するためのアプリケーションを提供することを更に備える、請求項１６に記載の方法。
【請求項２０】
前記連続メディアコンテンツセグメントの選択と関連する前記メディアデバイスに、前記複数のゲートメディアセグメント及び前記複数の保護メディアセグメントと関連するメタデータを含むタイムラインのプロファイルを伝送することを更に備える、請求項１９に記載の方法。
【請求項２１】
前記メタデータは、前記保護メディアセグメントと関連するリンクアドレスを含む、請求項２０に記載の方法。
【請求項２２】
前記メタデータは、前記ゲートメディアセグメントと関連する継続期間と関連する情報を含む、請求項２０に記載の方法。
【請求項２３】
前記少なくとも一つの保護メディアセグメントと関連するゲートメディアセグメントに少なくとも部分的に基づくプレゼンテーションの生成を検出することに応答して、少なくとも一つの保護メディアセグメントを前記メディアデバイスにストリーミングすることを更に備える、請求項１６に記載の方法。
【請求項２４】
プレミアム等級の加入ユーザから受信料を受けること、
前記プレミアム等級の加入ユーザが、前記関連ゲートメディアセグメントの少なくとも一部にアクセスしなくても、メディアコンテンツ選択の保護メディアセグメントにアクセスできるようにすること
を更に備える、請求項１６に記載の方法。
【請求項２５】
ユーザと関連するユーザプロファイルに少なくとも部分的に基づいて前記ゲートメディアセグメントを決定するステップを更に備える、請求項２０に記載の方法。
【請求項２６】
前記ユーザと関連する購買行動に少なくとも部分的に基づいて前記ユーザプロファイルを決定することを更に備える、請求項２５に記載の方法。
【請求項２７】
前記ユーザと関連するメディアコンテンツ選択に少なくとも部分的に基づいて前記ユーザプロファイルを決定することを更に備える、請求項２５に記載の方法。
【請求項２８】
前記選択と関連する複数の保護メディアセグメントを識別すること、
前記保護メディアセグメントと関連する複数のゲートメディアセグメントを識別すること、
前記ゲートメディアセグメントと関連する一つ以上のスポンサーから料金を受けること、
を更に備える請求項１６に記載の方法。
【請求項２９】
装置であって、
連続メディアコンテンツセグメントから選択された複数の保護メディアセグメントを受信し、タイムラインに沿って、前記複数の保護メディアセグメントの間に順次インタリーブされた複数のゲートメディアセグメントを受信し、ここで、前記タイムラインのプロファイルは、タイムラインのメディアコンテンツセグメントの時間的順序でゲートメディアセグメントがどこに位置するかを示す情報を含むメタデータを含み、前記タイムラインのプロファイルの前記メタデータを用いて、前記複数の保護メディアセグメントの関連する一つに先行して配置されるようにインタリーブされた前記複数のゲートメディアセグメントの各関連する一つへのアクセスに応答して、前記保護メディアセグメントの各一つへのユーザアクセスを提供するように適合された、コンピューティングプラットフォームを備える装置。
【請求項３０】
前記保護メディアセグメントと関連するゲートメディアセグメントへのアクセスは、前記ゲートメディアセグメントに少なくとも部分的に基づいてオーディオ及び／又はビデオプレゼンテーションを生成することを含む、請求項２９に記載の装置。
【請求項３１】
前記コンピューティングプラットフォームは、インターネットプロトコルに従って、前記複数の保護メディアセグメントを受信する通信アダプタを含む、請求項２９に記載の装置。
【請求項３２】
前記コンピューティングプラットフォームは、前記保護メディアセグメントをメモリに記憶するように更に適合される、請求項３１に記載の装置。
【請求項３３】
前記コンピューティングプラットフォームは、前記ゲートメディアセグメントのアクセスに応答して、前記通信アダプタを介してメッセージを伝送するように更に適合される、請求項３１に記載の装置。
【請求項３４】
前記コンピューティングプラットフォームは、前記メッセージの伝送後に、前記通信アダプタから前記保護メディアセグメントのうち一つを受信するように更に適合される、請求項３３に記載の装置。
【誤訳訂正２】
【訂正対象書類名】明細書
【訂正対象項目名】００７５
【訂正方法】変更
【訂正の内容】
【００７５】
また、タイムラインプロファイルにおける前記メタデータは、保護セグメントと関連するゲートセグメントを特徴づけることができ、アプリケーション中心メタデータ及び／又はコンテンツ中心メタデータを含むことができる。前記アプリケーション中心メタデータは、例えば、タイムラインのメディアコンテンツセグメントの時間的順序でゲートセグメントがどこに位置するかを示す情報、特定の広告メディアコンテンツを識別する情報、タイムラインで特定のゲートセグメントの継続期間を含むことができる。コンテンツ中心メタデータは、例えば、選択されたメディアコンテンツ（例えば、連続ドラマ、予め録画されているスポーツ放送、音楽選択のタイプ、全編映画、ＭＰＡＡ等級）の長さ、構成要約、及び／又はタイプ、特徴及び／又はジャンルを知らせる情報を含み、選択されたメディアコンテンツと関連し及び／又はそれを説明する情報を含むことができる。しかし、これらは、アプリケーション中心メタデータ及びコンテンツ中心メタデータの単なる例示であって、請求の対象はこれらに限定されない。